(57)【要約】【課題】  木造建築現場等の高所作業において、梁に防護ネットを取り付けるためのフックを、上記梁に簡単に取り付け及び取り外し可能にすると共に、同梁に傷を残すこともない高所作業用防護ネットの取付金具を提供する。【解決手段】  高所作業用の防護ネット３０を取り付ける梁１０の上面及び側面に沿って伸びる鞍状の金具本体２０を有し、この金具本体２０の少なくとも一方の先端部にフック２２を設けたものであり、このフック２２に防護ネット３０の周囲を囲むロープ３１を着脱自在に掛ける。【選択図】図２
2014141862.tif 000002
【特許請求の範囲】
【請求項１】
高所作業用防護ネットの取付金具であって、防護ネットを取り付ける梁の上面及び側面に沿って伸びる鞍状の金具本体と、この金具本体の少なくとも一方の先端部に設けられ、上記防護ネットの周囲を囲むロープを着脱自在に掛けるフックとからなる高所作業用防護ネットの取付金具。
【請求項２】
上記フックが上記金具本体に着脱可能に設けられていることを特徴とする請求項１記載の高所作業用防護ネットの取付金具。
【請求項３】
上記フックの先端が、このフックの元端側部分に対して螺旋状に傾斜し、かつ該元端側部分の側方まで伸びていることを特徴とする請求項１又は２記載の高所作業用防護ネットの取付金具。
【発明の詳細な説明】
【技術分野】
【０００１】  この発明は、木造建築現場等の高所作業における作業者や建築資材などの落下を防ぐための防護ネットの取付金具に関する。
【背景技術】
【０００２】  例えば、木造建築において、柱や梁等の骨組みを行う建築初期段階では、１階の天井、場合によっては２階の床、また２階の天井や屋根の部分等が塞がっていない状態があり、１階や２階の梁の上で作業を行う場合、作業者や建築資材などの落下を防ぐため、縦横に交差して伸びる各梁によって形成される空間に防護ネットを取り付けることが行われている。【０００３】  従来、この防護ネットの取付には、梁の側面に適宜な間隔でフックをねじ込み等により複数個取り付け、これらのフックに防護ネットの周囲を囲むロープを掛けるようにしていた。
【先行技術文献】
【特許文献】
【０００４】
【非特許文献】
【０００５】
【発明の概要】
【発明が解決しようとする課題】
【０００６】  しかしながら、上記のようにフックを梁の側面にねじ込み等により取り付ける方法では、フックの取り付け及び取り外しに手間を要すると共に、梁に傷が残る欠点があった。
そこで、この発明は、上記のようなフックを簡単に取り付け及び取り外し可能にすると共に、梁に傷を残すこともない高所作業用防護ネットの取付金具を提供することを課題とする。
【課題を解決するための手段】
【０００７】  以上の課題を解決するために、第一発明は、高所作業用防護ネットの取付金具であって、防護ネットを取り付ける梁の上面及び側面に沿って伸びる鞍状の金具本体と、この金具本体の少なくとも一方の先端部に設けられ、上記防護ネットの周囲を囲むロープを着脱自在に掛けるフックとからなる高所作業用防護ネットの取付金具である。
また第二発明は、上記フックが上記金具本体に着脱可能に設けられていることを特徴とする高所作業用防護ネットの取付金具である。
さらにまた第三発明は、上記フックの先端が、このフックの元端側部分に対して螺旋状に傾斜し、かつ該元端側部分の側方まで伸びていることを特徴とする高所作業用防護ネットの取付金具である。
【発明の効果】
【０００８】  第一発明ないし第三発明によれば、防護ネットの周囲を囲むロープを掛けるフックが、梁の上面及び側面に沿って伸びる鞍状の金具本体に設けられているため、上記梁へのフックの着脱を簡単に行うことができると共に、梁に傷を付けず、梁に傷が残ることもないという効果が得られる。
また第二発明によれば、金具本体とフックが別々に構成されているため、製造が容易であるという効果が得られる。
さらにまた第三発明によれば、防護ネットの周囲を囲むロープが跳ね返ってフックから外れることがない効果が得られる。
【図面の簡単な説明】
【０００９】
【図１】この発明の一実施形態を示す一部平面図である。
【図２】図１のＡ−Ａ線による断面図である。
【図３】この発明の他の実施形態を示す一部拡大正面図である。
【図４】図３のＢ−Ｂ線による断面図である。
【発明を実施するための形態】
【００１０】  この発明の一実施形態を、図１ないし図２に示す。
図１及び図２は、建築途中の家の一部を示す図である。図１において、１０は梁であり、図２に示すように、柱１１の上端に設けられている。なお、図２おいて、１２は土台、１３は基礎であり、上記梁１０は、家の１階の天井若しくは２階の床を形成するためのものである。
【００１１】  図１において、複数本の梁１０は、縦横に伸び、図１において、左上、左下及び右に３つの四角の空間１４Ａ、１４Ｂ及び１４Ｃを形成している。各梁１０には、本発明による取付金具２０が複数個置かれている。これらの取付金具２０は、上記の各空間１４Ａ、１４Ｂ及び１４Ｃの隅に近い位置の梁１０の上にそれぞれ配置される共に、さらに必要に応じてこれらの間に適宜な間隔で配置される。
【００１２】  上記取付金具２０は、図２に示すように、梁１０の上面及び左右の側面に沿って伸びる鞍状の金具本体２１と、この金具本体２１の左右の先端部にそれぞれ設けられたフック２２とからなり、防護ネット３０の周囲を囲むロープ３１をフック２２に着脱自在に掛けるように構成されている。なお、フック２２は、金具本体２１の一方の端部にのみ設けてもよい。
【００１３】  次いで、上記取付金具２０の作用について説明する。取付金具２０は、上記のように鞍状に形成された金具本体２１を有し、単に梁１０の上に置くだけでよいように形成されているため、梁１０に対する着脱が極めて簡単であると共に、梁１０に傷を付けることがなく、このため梁１０に傷が残らない。
【００１４】  また、上記取付金具２０を、上記のように、空間１４Ａ、１４Ｂ及び１４Ｃの隅に近い位置に配置すれば、取付金具２０を梁１０にねじ等で固定しなくても、取付金具２０が位置ずれを生じることはなく、防護ネット３０に作用する負荷を受け止めることができる。
【００１５】「他の実施形態」
図３及び図４は、この発明の他の実施形態を示すもので、この取付金具２０Ａの金具本体２１Ａは、前述した金具本体２１と同様に梁１０の上面及び左右の側面に沿って伸びる鞍状に形成されているが、図４に示すように、左右の先端部分２１Ｂが梁１０の側面から離れるように傾斜して伸びており、そこに明けた穴２１ＣにＳ字形状のフック２２Ａを着脱可能に設けるようになっている。
【００１６】  このように金具本体２１Ａとフック２２Ａを別々に構成すれば、製造が容易になる。なお、図示のように金具本体２１Ａの両端に穴２１Ｃを設けておけば、フック２２Ａを金具本体２１Ａの左右のいずれか一方又は両方に適宜に設けることが可能になる。
【００１７】  また、上記フック２２Ａは、図３に示すように、先端側部分２２ａが、元端側部分２２ｂに対して螺旋状に傾斜し、かつ該先端側部分２２ａは図４に示すように、元端側部分２２ｂの側方まで伸びている。このように構成すれば、防護ネット３０の周囲を囲むロープ３１が跳ね返ってフック２２Ａから外れることがない。
なお、図１及び図２に示した取付金具２０のフック２２を、上記図３及び図４に示したフック２２Ａと同様の形状として、金具本体２１と一体に形成すれば、同じくロープ３１の跳ね返りによる抜け出しをなくすことができることは言うまでもない。
【符号の説明】
【００１８】１０    梁                              １１    柱
１２    土台                            １３    基礎
１４Ａ、１４Ｂ、１４Ｃ    空間          ２０、２０Ａ    取付金具
２１、２１Ａ    金具本体                ２１Ｂ    金具本体２１Ａの先端部分
２１Ｃ    穴                            ２２、２２Ａ    フック
２２ａ    フック２２Ａの先端部分        ２２ｂ    フック２２Ａの元端部分
３０    防護ネット                      ３１    ロープ
【図１】
2014141862.tif 000003
【図２】
2014141862.tif 000004
【図３】
2014141862.tif 000005
【図４】
2014141862.tif 000006